(57)【要約】      （修正有）【課題】中栓部が外栓部に確実に取付られる飲料用容器の栓体並びにこの栓体を具備する飲料用容器を提供する。【解決手段】栓体Ｓは、容器本体の上部開口部を閉塞する中栓部４と、容器本体の飲み口部を被覆する外栓部５とから成り、中栓部４に設けた取付用挿入部７を外栓部５に設けた取付孔部８に挿入した際に、この取付用挿入部７に対して摺動する摺動部９を取付孔部８に設けると共に、この摺動部９が落ち込み摺動する落ち込み部10を取付用挿入部７に設けて、摺動部９が落ち込み部10に落ち込み摺動すると中栓部４が外栓部５に取付保持される構成とし、この摺動部９が落ち込み部10に落ち込み摺動した際に、取付孔部８の孔縁近傍に密着当接する密着部11を中栓部４に設ける。【選択図】図４
2014162518.tif 000002
【特許請求の範囲】
【請求項１】
飲み口部を上部開口部に有する容器本体の前記上部開口部に着脱自在に取付可能な飲料用容器の栓体であって、前記栓体は、前記容器本体の上部開口部内に挿入状態に取付けられることでこの上部開口部を閉塞する中栓部と、この中栓部に対して着脱分離可能に設けられ前記容器本体の飲み口部を被覆する外栓部とから成り、前記中栓部若しくは前記外栓部に取付用挿入部を突設し、この取付用挿入部を挿脱自在に挿入可能な取付孔部を外栓部若しくは中栓部に設けて、この取付用挿入部を取付孔部に挿入することによって外栓部に中栓部を取付可能な構成とし、この取付用挿入部を取付孔部に挿入した際に、この取付用挿入部若しくは取付孔部に対して摺動する摺動部を取付孔部若しくは取付用挿入部に設けると共に、この摺動部が落ち込み摺動する落ち込み部を前記取付用挿入部若しくは前記取付孔部に設けて、摺動部が落ち込み部に落ち込み摺動することによって前記中栓部が前記外栓部に取付保持される構成とし、この摺動部が落ち込み部に落ち込み摺動した際に、前記取付孔部の孔縁若しくは取付孔部の孔縁近傍に密着当接する密着部を前記中栓部若しくは前記外栓部に設けて、この密着部が取付孔部の孔縁若しくは取付孔部の孔縁近傍に密着当接することによって取付孔部が密封される構成としたことを特徴とする飲料用容器の栓体。
【請求項２】
前記摺動部が前記落ち込み部に落ち込もうとする落ち込み摺動途中で、前記取付孔部の孔縁若しくは取付孔部の孔縁近傍に密着当接する前記密着部を前記中栓部若しくは前記外栓部に設けて、この密着部が取付孔部の孔縁若しくは取付孔部の孔縁近傍に密着当接することによって取付孔部が密封される構成としたことを特徴とする請求項１記載の飲料用容器の栓体。
【請求項３】
前記取付孔部若しくは前記取付用挿入部に、取付用挿入部若しくは取付孔部に圧接する圧接突起を設けて、この圧接突起を取付用挿入部若しくは取付孔部に対して圧接摺動する前記摺動部とし、取付用挿入部を取付孔部に挿入した際にこの摺動部が圧接摺動する段差面を前記取付用挿入部若しくは前記取付孔部に設けて、この段差面を、前記摺動部が圧接摺動する際に落ち込み摺動作用を生じる前記落ち込み部とし、この落ち込み部としての段差面への前記摺動部の落ち込み摺動作用により前記取付用挿入部が前記取付孔部に深く挿し込まれて前記密着部が前記取付孔部の孔縁若しくは取付孔部の孔縁近傍に密着当接する構成としたことを特徴とする請求項１，２のいずれか１項に記載の飲料用容器の栓体。
【請求項４】
前記摺動部が前記落ち込み部に落ち込もうとする落ち込み摺動作用により、前記密着部が前記取付孔部の孔縁若しくは取付孔部の孔縁近傍に衝突して報知音を発生するように、この摺動部と落ち込み部とを設定構成したことを特徴とする請求項１〜３のいずれか１項に記載の飲料用容器の栓体。
【請求項５】
前記中栓部に前記取付用挿入部を設け、この取付用挿入部の全周を囲む形状の前記取付孔部を前記外栓部に設けて、この取付用挿入部を取付孔部に挿入すると、この取付用挿入部と取付孔部との境目が取付用挿入部の全周を囲む位置に表出する構成とし、前記中栓部若しくは前記外栓部に着脱自在に取付可能な覆い蓋を備えると共に、この覆い蓋は、この覆い蓋を中栓部若しくは外栓部に取付した際に前記境目を密封する境目密封部を設けたことを特徴とする請求項１〜４のいずれか１項に記載の飲料用容器の栓体。
【請求項６】
前記中栓部の上部に前記取付用挿入部を設け、この取付用挿入部の全周を囲む形状であって前記外栓部を上下方向に貫通する前記取付孔部を外栓部に設けて、この取付用挿入部を取付孔部に下方から挿入するとこの取付用挿入部と取付孔部の境目が前記栓体上部の取付用挿入部の全周を囲む位置に環状に表出する構成とし、前記中栓部若しくは前記外栓部に上方から着脱自在に取付可能な覆い蓋を備えると共に、この覆い蓋に、この覆い蓋を中栓部若しくは外栓部に取付した際に前記境目を上方から覆って密封する環状の境目密封部を設けたことを特徴とする請求項１〜５のいずれか１項に記載の飲料用容器の栓体。
【請求項７】
前記取付用挿入部を上部が開口する筒状に形成してこの筒状の取付用挿入部内に雌螺子部を設け、この雌螺子部に螺合可能な雄螺子部を前記覆い蓋の下部に設けて、この雄螺子部を前記雌螺子部に着脱自在に螺着することで覆い蓋が前記中栓部に取付られると共に、前記境目密封部が前記境目に密着して境目が密封される構成としたことを特徴とする請求項６記載の飲料用容器の栓体。
【請求項８】
飲み口部を上部開口部に有する容器本体の前記上部開口部に、前記請求項１〜７のいずれか１項に記載の飲料用容器の栓体を着脱自在に取付して成ることを特徴とする飲料用容器。
【発明の詳細な説明】
【技術分野】
【０００１】
本発明は、水筒などの飲料用容器の栓体並びに飲料用容器に関するものである。
【背景技術】
【０００２】
水筒などの飲料用容器には、容器本体の上部開口部に、注出口部や飲み口部などの注液部を具備する栓体が取付けられている。
【０００３】
また、最近の栓体には、容器本体の上部開口部に取付られる外栓部と、容器本体の上部開口部内に挿入されてこの上部開口部を密封する中栓部とから成り、外栓部に対して中栓部が着脱分離可能に設けられていて、外栓部から中栓部を取外すことで栓体の奥の方まで洗浄・手入れを行えるようにしたものが実施されている。
【０００４】
また、この種の分離可能な栓体には、例えば、中栓部の外周にリング状のパッキンが周設されていて、この中栓部を外栓部に取付けると、パッキンの圧入により中栓部と外栓部とが取付保持されると共に、中栓部と外栓部の隙間がパッキンにより止水されて漏水を防止する密封構造が備えられている（例えば、特許文献１参照。）。
【先行技術文献】
【特許文献】
【０００５】
【特許文献１】特許第３９０４８９９号公報
【発明の概要】
【発明が解決しようとする課題】
【０００６】
上記特許文献１のように、パッキンの圧入により中栓部と外栓部を取付する構造は、しっかりと中栓部が外栓部に取付られたかどうかが確認しづらく、不十分な取付状態のまま使用して飲料漏れを生じる懸念がある。
【０００７】
本発明は、このような分離可能な飲料用容器の栓体の改良に係るもので、中栓部が外栓部に確実に取付られる飲料用容器の栓体並びにこの栓体を具備する飲料用容器を提供するものである。
【課題を解決するための手段】
【０００８】
添付図面を参照して本発明の要旨を説明する。
【０００９】
飲み口部３を上部開口部２に有する容器本体１の前記上部開口部２に着脱自在に取付可能な飲料用容器の栓体Ｓであって、前記栓体Ｓは、前記容器本体１の上部開口部２内に挿入状態に取付けられることでこの上部開口部２を閉塞する中栓部４と、この中栓部４に対して着脱分離可能に設けられ前記容器本体１の飲み口部３を被覆する外栓部５とから成り、前記中栓部４若しくは前記外栓部５に取付用挿入部７を突設し、この取付用挿入部７を挿脱自在に挿入可能な取付孔部８を外栓部５若しくは中栓部４に設けて、この取付用挿入部７を取付孔部８に挿入することによって外栓部５に中栓部４を取付可能な構成とし、この取付用挿入部７を取付孔部８に挿入した際に、この取付用挿入部７若しくは取付孔部８に対して摺動する摺動部９を取付孔部８若しくは取付用挿入部７に設けると共に、この摺動部９が落ち込み摺動する落ち込み部10を前記取付用挿入部７若しくは前記取付孔部８に設けて、摺動部９が落ち込み部10に落ち込み摺動することによって前記中栓部４が前記外栓部５に取付保持される構成とし、この摺動部９が落ち込み部10に落ち込み摺動した際に、前記取付孔部８の孔縁若しくは取付孔部８の孔縁近傍に密着当接する密着部11を前記中栓部４若しくは前記外栓部５に設けて、この密着部11が取付孔部８の孔縁若しくは取付孔部８の孔縁近傍に密着当接することによって取付孔部８が密封される構成としたことを特徴とする飲料用容器の栓体に係るものである。
【００１０】
また、前記摺動部９が前記落ち込み部10に落ち込もうとする落ち込み摺動途中で、前記取付孔部８の孔縁若しくは取付孔部８の孔縁近傍に密着当接する前記密着部11を前記中栓部４若しくは前記外栓部５に設けて、この密着部11が取付孔部８の孔縁若しくは取付孔部８の孔縁近傍に密着当接することによって取付孔部８が密封される構成としたことを特徴とする請求項１記載の飲料用容器の栓体に係るものである。
【００１１】
また、前記取付孔部８若しくは前記取付用挿入部７に、取付用挿入部７若しくは取付孔部８に圧接する圧接突起９を設けて、この圧接突起９を取付用挿入部７若しくは取付孔部８に対して圧接摺動する前記摺動部９とし、取付用挿入部７を取付孔部８に挿入した際にこの摺動部９が圧接摺動する段差面10を前記取付用挿入部７若しくは前記取付孔部８に設けて、この段差面10を、前記摺動部９が圧接摺動する際に落ち込み摺動作用を生じる前記落ち込み部10とし、この落ち込み部10としての段差面10への前記摺動部９の落ち込み摺動作用により前記取付用挿入部７が前記取付孔部８に深く挿し込まれて前記密着部11が前記取付孔部８の孔縁若しくは取付孔部８の孔縁近傍に密着当接する構成としたことを特徴とする請求項１，２のいずれか１項に記載の飲料用容器の栓体に係るものである。
【００１２】
また、前記摺動部９が前記落ち込み部10に落ち込もうとする落ち込み摺動作用により、前記密着部11が前記取付孔部８の孔縁若しくは取付孔部８の孔縁近傍に衝突して報知音を発生するように、この摺動部９と落ち込み部10とを設定構成したことを特徴とする請求項１〜３のいずれか１項に記載の飲料用容器の栓体に係るものである。
【００１３】
また、前記中栓部４に前記取付用挿入部７を設け、この取付用挿入部７の全周を囲む形状の前記取付孔部８を前記外栓部５に設けて、この取付用挿入部７を取付孔部８に挿入すると、この取付用挿入部７と取付孔部８との境目12が取付用挿入部７の全周を囲む位置に表出する構成とし、前記中栓部４若しくは前記外栓部５に着脱自在に取付可能な覆い蓋13を備えると共に、この覆い蓋13は、この覆い蓋13を中栓部４若しくは外栓部５に取付した際に前記境目12を密封する境目密封部14を設けたことを特徴とする請求項１〜４のいずれか１項に記載の飲料用容器の栓体に係るものである。
【００１４】
また、前記中栓部４の上部に前記取付用挿入部７を設け、この取付用挿入部７の全周を囲む形状であって前記外栓部５を上下方向に貫通する前記取付孔部８を外栓部５に設けて、この取付用挿入部７を取付孔部８に下方から挿入するとこの取付用挿入部７と取付孔部８の境目12が前記栓体Ｓ上部の取付用挿入部７の全周を囲む位置に環状に表出する構成とし、前記中栓部４若しくは前記外栓部５に上方から着脱自在に取付可能な覆い蓋13を備えると共に、この覆い蓋13に、この覆い蓋13を中栓部４若しくは外栓部５に取付した際に前記境目12を上方から覆って密封する環状の境目密封部14を設けたことを特徴とする請求項１〜５のいずれか１項に記載の飲料用容器の栓体に係るものである。
【００１５】
また、前記取付用挿入部７を上部が開口する筒状に形成してこの筒状の取付用挿入部７内に雌螺子部15を設け、この雌螺子部15に螺合可能な雄螺子部16を前記覆い蓋13の下部に設けて、この雄螺子部16を前記雌螺子部15に着脱自在に螺着することで覆い蓋13が前記中栓部４に取付られると共に、前記境目密封部14が前記境目12に密着して境目12が密封される構成としたことを特徴とする請求項６記載の飲料用容器の栓体に係るものである。
【００１６】
また、飲み口部３を上部開口部２に有する容器本体１の前記上部開口部２に、前記請求項１〜７のいずれか１項に記載の飲料用容器の栓体Ｓを着脱自在に取付して成ることを特徴とする飲料用容器に係るものである。
【発明の効果】
【００１７】
本発明は上述のように構成したから、分離した中栓部と外栓部とを別々に洗浄・手入れして清潔さを保つことができ、しかも本発明は、取付用挿入部を取付孔部に挿入して中栓部を外栓部に取付ると、摺動部の落ち込み部への落ち込み摺動作用によって密着部が取付孔部の孔縁若しくは取付孔部の孔縁近傍に密着当接状態に保持されて取付孔部が密封されるので、単に取付用挿入部を取付孔部に挿入する操作を行うだけで摺動部の落ち込み部への落ち込み摺動作用により中栓部が外栓部に確実に取付られ、これにより不十分な取付状態のまま使用して飲料漏れを生じるような不都合がない極めて実用性に優れた飲料用容器の栓体並びにこの栓体を具備する極めて実用性に優れた飲料用容器となる。
【００１８】
また、請求項２記載の発明においては、密着部が取付孔部の孔縁若しくは取付孔部の孔縁近傍に密着当接してからも、摺動部が落ち込み部に落ち込み摺動しようとする落ち込み摺動作用が継続的に発揮されるために、密着部が常に取付孔部の孔縁若しくは取付孔部の孔縁近傍に密着当接し続けて取付孔部の密封状態が良好に維持されることになる一層実用性に優れた構成の飲料用容器の栓体となる。
【００１９】
また、請求項３記載の発明においては、確実に落ち込み摺動作用を生じて密着部を取付孔部に密着させる摺動部と落ち込み部とを、簡易構成にして容易に設計実現可能となる一層実用性に優れた構成の飲料用容器の栓体となる。
【００２０】
また、請求項４記載の発明においては、中栓部が外栓部に確実に取付られて取付孔部が密封されたことを報知音によりユーザーが認識できるので、中栓部と外栓部との取付状態が不十分で飲料漏れするような不都合を一層生じにくい極めて実用性に優れた構成の飲料用容器の栓体となる。
【００２１】
また、請求項５，６記載の発明においては、密着部が取付孔部の孔縁若しくは取付孔部の孔縁近傍から万一離れて飲料漏れを生じても、取付用挿入部と取付孔部との境目からの飲料漏れを覆い蓋の境目密封部によって防止できると共に、覆い蓋も取外して洗浄・手入れできる一層商品価値の高い飲料用容器の栓体となり、更に請求項６記載の発明のように構成することにより、前記作用・効果を確実に発揮する取付用挿入部，取付孔部及び境目密封部を有する覆い蓋を簡易に設計実現可能となる。
【００２２】
また、請求項７記載の発明においては、覆い蓋の中栓部への取付構造を簡易に設計実現可能であり、覆い蓋の脱着操作が容易に行われると共に、簡易操作によって確実に取付用挿入部と取付孔部との境目を境目密封部で密封できる一層実用性に優れた構成の飲料用容器の栓体となる。
【図面の簡単な説明】
【００２３】
【図１】本実施例を示す斜視図である。
【図２】本実施例を示す栓体を分離させた正面図である。
【図３】本実施例を示す正断面図である。
【図４】本実施例の栓体を示す側断面図並びに正断面図である。
【図５】本実施例の栓体を示す境目密封部も分解した分解斜視図である。
【図６】本実施例の栓体を示す分解側断面図である。
【図７】本実施例の中栓部を外栓部に取付した状態の摺動部と落ち込み部との関係並びに密着部と被接触部との関係を示す部分拡大側断面図である。
【図８】本実施例の栓体を示す、覆い蓋を分離した状態の外栓部切欠正面図である。
【図９】本実施例の栓体を示す、覆い蓋を取り外した状態の平面図並びに斜視図である。
【発明を実施するための形態】
【００２４】
好適と考える本発明の実施形態を、図面に基づいて本発明の作用を示して簡単に説明する。
【００２５】
容器本体１の上部開口部２に本発明の栓体Ｓを取付ると、この栓体Ｓの中栓部４が容器本体１の上部開口部２内に挿入状態に取付けられてこの上部開口部２を閉塞すると共に、外栓部５が容器本体１の上部開口部２の飲み口部３を被覆して飲み口部３が清潔に保たれる。
【００２６】
容器本体１内の飲料を飲む時は、栓体Ｓを容器本体１の上部開口部２から取り外して飲み口部３を露出させる。
【００２７】
また、本発明の栓体Ｓは、容器本体１の上部開口部２から取外して手入れをすることができるが、この栓体Ｓは、更に前記中栓部４と前記外栓部５とに分離して夫々を別々に洗浄・手入れすることができ、従って、外栓部５に中栓部４が取付られた状態では手入れが難しい奥の方まで手入れして栓体Ｓを清潔に保つことが容易に可能である。
【００２８】
また、中栓部４と外栓部５とは、中栓部４若しくは前記外栓部５に突設した取付用挿入部７を、外栓部５若しくは中栓部４に設けた取付孔部８に挿脱自在に挿入することで取付するが、この際、取付孔部８若しくは取付用挿入部７に設けた摺動部９が取付用挿入部７若しくは取付孔部８に対して摺動し、この摺動部９が取付用挿入部７若しくは取付孔部８に設けた落ち込み部10に落ち込み摺動すると、前記中栓部４が前記外栓部５に取付保持されると共に、前記中栓部４若しくは前記外栓部５に設けた密着部11が前記取付孔部８の孔縁若しくは取付孔部８の孔縁近傍に密着当接して、取付孔部８が密封されることになる。
【００２９】
即ち、ユーザーが取付用挿入部７を取付孔部８に挿入するという通常の取付操作を行うだけで、摺動部９が落ち込み部10に落ち込もうとする落ち込み摺動作用を伴って確実に取付孔部８が密封されることになるから、中栓部４と外栓部５が不十分な取付状態のままで使用してしまうことによる飲料漏れを生じない。
【００３０】
また、例えば、前記摺動部９が前記落ち込み部10に落ち込もうとする落ち込み摺動途中で、前記取付孔部８の孔縁若しくは取付孔部８の孔縁近傍に密着当接する密着部11を前記中栓部４若しくは前記外栓部５に設けて、この密着部11が取付孔部８の孔縁若しくは取付孔部８の孔縁近傍に密着当接することによって取付孔部８が密封される構成とすれば、摺動部９が落ち込み部10に完全に落ち込む前の落ち込み摺動途中で、密着部11が前記取付孔部８の孔縁若しくは取付孔部８の孔縁近傍に密着当接することになる。
【００３１】
そのため、密着部11が取付孔部８の孔縁若しくは取付孔部８の孔縁近傍に密着当接した後も、摺動部９が落ち込み部10に落ち込もうとする落ち込み摺動作用が継続的に発揮されることとなり、これにより密着部11が取付孔部８の孔縁若しくは取付孔部８の孔縁近傍に密着当接し続けようとするので取付孔部８の密封状態が良好に維持されることになる。
【００３２】
また、例えば、前記中栓部４に前記取付用挿入部７を設け、この取付用挿入部７の全周を囲む形状の前記取付孔部８を前記外栓部５に設けて、この取付用挿入部７を取付孔部８に挿入すると、この取付用挿入部７と取付孔部８との境目12が取付用挿入部７の全周を囲む位置に表出する構成とし、前記中栓部４若しくは前記外栓部５に着脱自在に取付可能な覆い蓋13を備えると共に、この覆い蓋13は、この覆い蓋13を中栓部４若しくは外栓部５に取付した際に前記境目12を密封する境目密封部14を設ければ、密着部11が取付孔部８の孔縁若しくは取付孔部８の孔縁近傍から万一離れて飲料漏れを生じても、取付用挿入部７と取付孔部８との境目12が覆い蓋13の境目密封部14によって密封されているので、この境目12からの飲料漏れが防止されることになる。
【００３３】
また、この覆い蓋13は栓体Ｓから取外しできるので、この覆い蓋13も洗浄・手入れして清潔に保つことができる。
【実施例】
【００３４】
本発明の具体的な実施例について図面に基づいて説明する。
【００３５】
本実施例は、図１〜図３に示すような携帯型の水筒に適用したもので、容器本体１の上部開口部２に、栓体Ｓを着脱自在に設けている。
【００３６】
本実施例の容器本体１は、高さのある有底円筒状の上部開口形容器を採用し、栓体Ｓは、この容器本体１の高さの１／４程度の高さの短円筒状体に構成している。
【００３７】
また、この容器本体１の上部開口部２には、図２に示すように、円環形バンド状の合成樹脂製飲み口部３をこの上部開口部２の外周面を外方から覆うようにして装着して、この飲み口部３に口を直付けして容器本体１内の飲料を飲むことができるようにすると共に、この飲み口部３は上部開口部２に対して着脱自在に設けて、この飲み口部３を取外すことで洗浄・手入れを容易に行えるようにしている。
【００３８】
この容器本体１と栓体Ｓの着脱構造は、容器本体１の上部開口部２の内周面に雌ネジ部17を形成する一方、この雌ネジ部17に螺合する雄ネジ部18を栓体Ｓの後述する中栓部４の外周面に設けて、この雄ネジ部18を前記雌ネジ部17に螺着することで容器本体１の上部開口部２に栓体Ｓを取付する構造とし、栓体Ｓの回動螺脱操作によって容器本体１の上部開口部２から栓体Ｓを取外しできる構造としている。
【００３９】
また、本実施例の栓体Ｓについて説明すると、前記容器本体１の上部開口部２内に挿入状態に取付られることでこの上部開口部２を閉塞する中栓部４と、前記容器本体１の飲み口部３を被覆する飲み口被覆部６を有し前記中栓部４に対して着脱分離可能な外栓部５とから成るものとし、前記中栓部４に取付用挿入部７を突設し、この取付用挿入部７を挿脱自在に挿入可能な取付孔部８を外栓部５に設けて、この取付用挿入部７を取付孔部８に挿入することによって中栓部４を外栓部５に取付可能な構成としている。
【００４０】
具体的には、本実施例の中栓部４は合成樹脂製とし、前記容器本体１の内径より径小で容器本体１の上部開口部２内に挿入可能な有底の短円筒状に樹脂成形により一体成形している。
【００４１】
また、この中栓部４は、上部の円筒部分を外栓部５に取付するための取付用挿入部７とし、下部には、容器本体１の上部開口部２付近の内周面に密着する漏止用パッキン19を周設し、更にこの漏止パッキン19より上方側の下部外周面には、前記雄ネジ部18を一体成形した構成としている。
【００４２】
本実施例の外栓部５は合成樹脂製とし、前記容器本体１の外径寸法と同等の外径寸法を有する短円筒状であって、中心部に前記取付孔部８を有する形状に樹脂成形により一体成形した構成としている。
【００４３】
また、この外栓部５は、断面が逆Ｕ字状であって外壁部分20と天壁部分21と内壁部分22とを有する形状に樹脂成形して、この外壁部分20と天壁部分21と内壁部分22とに囲まれた空間部を前記飲み口被覆部６とし、この外栓部５を前記容器本体１の飲み口部３に上方から被嵌するようにして取付すると、飲み口被覆部６内に飲み口部３が収容される（飲み口部３が外栓部５によって被覆される）構成としている。
【００４４】
また、この外栓部５中心部の、前記内壁部分22を孔内面として外栓部５を上下方向に貫通する貫通孔８を前記取付孔部８とし、この取付孔部８は、前記中栓部４の上部の取付用挿入部７の外径寸法と略同等若しくはやや小径な孔径寸法を有する形状に形成すると共に、前記内壁部分22を下方へ円筒状に垂下延設する形状に一体成形することにより、上下方向に孔長を有する構成としている（図５，図６参照。）。
【００４５】
中栓部４と外栓部５との取付構造について説明すると、本実施例では、取付用挿入部７を取付孔部８に下方から挿入する構成とし、この取付用挿入部７を取付孔部８挿入した際に、取付用挿入部７に対して摺動する摺動部９を取付孔部８に設けると共に、この摺動部９が落ち込み摺動する落ち込み部10を前記取付用挿入部７に設けて、摺動部９が落ち込み部10に落ち込み摺動することによって前記中栓部４が前記外栓部５に取付保持される構成とし、この摺動部９が落ち込み部10に落ち込み摺動した際に、前記取付孔部８の孔縁近傍に設けた被接触部30に密着当接する密着部11を前記中栓部４に設けて、この密着部11が取付孔部８の孔縁近傍の前記被接触部30に密着当接することによって取付孔部８が密封（止水）されて飲料漏れを生じない構成としている。
【００４６】
具体的には、前記取付孔部８に、取付用挿入部７に圧接する圧接突起９を一体成形により突設して、この圧接突起９を取付用挿入部７に対して圧接摺動する前記摺動部９とし、取付用挿入部７を取付孔部８に挿入した際にこの摺動部９が圧接摺動する凹状段差面10を前記取付用挿入部７に設けて、この凹状段差面10を、前記摺動部９が圧接摺動する際に落ち込み摺動作用を生じる前記落ち込み部10とし、この落ち込み部10の落ち込み摺動作用により前記取付用挿入部７が前記取付孔部８に深く挿し込まれて前記密着部11が前記被接触部30に密着当接する構成としている。
【００４７】
また、摺動部９としての圧接突起９は、図６，図７に示すような前記取付孔部８の内方に向かって半球状に突設する突起に成形すると共に、取付孔部８を構成する内壁部分22の上部寄りの孔内縁（孔内面）の対向位置（対向二箇所）に設けている。
【００４８】
この各摺動部９が落ち込み摺動する前記落ち込み部10としての凹状段差面10は、前記取付用挿入部７の内方へ凹設する段差面10に成形すると共に、前記取付用挿入部７の上部寄りの外周面の対向位置（対向二箇所）に設けている。
【００４９】
また、この落ち込み部10を更に詳しく説明すると、取付用挿入部７の上部寄りの外周面の対向位置に横長方形状の凹部23を一体成形すると共に、この各凹部23の上部の段差を、取付用挿入部７の外周面に対して直角に内方へ向かう（水平内方に向かう）前記段差面10に成形している。
【００５０】
また、本実施例の密着部11は、前記中栓部４に、前記取付用挿入部７の挿入方向の中ほどよりやや上側寄りの外周面の全周に鍔部24を一体成形により水平突設し、この鍔部24の上面を、前記被接触部30としての前記内壁部分22の下端に密着当接する前記密着部11として、取付用挿入部７を取付孔部８に深く挿入するにしたがってこの密着部11が被接触部30に接近して、前記摺動部９が前記落ち込み部10に落ち込み摺動した際に密着部11が被接触部30の全周に密着当接して取付孔部８が止水されるように構成している。
【００５１】
また、本実施例では、前記摺動部９が前記落ち込み部10に落ち込もうとする落ち込み摺動途中で、前記取付孔部８の孔縁近傍（内壁部分22の下端）に密着当接するように、前記摺動部９，前記落ち込み部10，前記密着部11並びに被接触部30の形成位置を設定構成し（摺動部９，落ち込み部10，密着部11並びに被接触部30の形成位置の精度出しを樹脂成形によって行い）、更に落ち込み摺動時には半球状の摺動部９が直角な凹状段差面10に対して良好な落ち込み摺動作用（図７中の矢印のように取付用挿入部７が取付孔部８に対して深く挿し込まれようとする作用）を発揮するため、密着部11が被接触部30に密着当接した後も、摺動部９が落ち込み部10に落ち込み摺動しようとする良好な落ち込み摺動作用が継続的に発揮されて、密着部11が取付孔部８の孔縁近傍に密着当接し続けて取付孔部８の密封状態が良好に維持され、且つ中栓部４と外栓部５の取付状態も良好に維持されることになる構成としている。尚、落ち込み部10を、取付用挿入部７の挿入基端側に向かって下り傾斜する下り傾斜面に形成して、摺動部９がより良好な落ち込み摺動作用を発揮する構成としても良い。
【００５２】
また、中栓部４と外栓部５とを分離する時は、摺動部９が落ち込み部10に落ち込み摺動しようとする摺動力より大きい力で中栓部４を外栓部５から取外すように操作することで中栓部４と外栓部５とを分離できる構成としている。
【００５３】
また、本実施例では、摺動部９が落ち込み部10に落ち込み摺動しようとする落ち込み摺動作用により、前記密着部11が前記被接触部30に衝突して「パチン」と報知音（合成樹脂同士の衝突音）を生じるように構成し、この報知音の発生によりユーザーは取付孔部８が確実に密封されたことを認識できる構成としている。
【００５４】
また、前記鍔部24の密着部11に、この鍔部24の周方向に間隔を置いた数箇所（図面は三箇所）に角形の回り止め凸部25を一体成形により突設する一方、前記摺動部９が前記落ち込み部10に落ち込み摺動した際に前記回り止め凸部25が凹凸密着嵌合する嵌合凹部26を、前記内壁部分22の下端（前記被接触部30）の対応数箇所（図面は三箇所）に設けて、この各回り止め凸部25と各嵌合凹部26との凹凸密着嵌合により中栓部４と外栓部５とが回り止め状態で取付られる構成とし、これにより外栓部５を回動操作すると外栓部５と共に中栓部４も容器本体１に対し回動して栓体Ｓを螺着脱操作し得るように構成している。
【００５５】
また、中栓部４の外栓部５への取付状態（前記摺動部９が前記落ち込み部10に落ち込み摺動した取付用挿入部７の取付孔部８への取付状態）で、取付用挿入部７の上端部が前記外栓部５の天壁部分21の上面と略面一状態となるように設定構成している（図８参照。）。即ち、図９に示すように、この取付用挿入部７の上端部全周が取付孔部８に囲まれた状態で上部に表出して、この取付用挿入部７と取付孔部８との円環状の境目12が取付用挿入部７の全周を囲む上部位置に表出する構成としている。
【００５６】
また、本実施例の栓体Ｓは、前記中栓部４に着脱自在に取付可能な覆い蓋13を備えると共に、この覆い蓋13は、この覆い蓋13を中栓部４に取付した際に前記取付用挿入部７と前記取付孔部８との境目12を密封する境目密封部14を設けている。
【００５７】
具体的には、本実施例の覆い蓋13は合成樹脂製とし、図５，図６，図８に示すように、前記外栓部５の外径寸法と略合致する外径寸法の円板形天板部27の下面に、この天板部27と同心形状で且つ天板部27より径小な円筒部28を垂下突設した形状に一体成形した構成としている。
【００５８】
また、この覆い蓋13の円筒部28は、その外径寸法を前記取付用挿入部７の内径寸法と略同等若しくはやや小径に設定して、この円筒部28を取付用挿入部７の上部開口部から挿入可能としている（図４，図７参照。）。
【００５９】
また、この円筒部28の外周面には、雄螺子部16を一体成形により設け、この雄螺子部16が螺合可能な雌螺子部15を取付用挿入部７の内周面に設けて、この雄螺子部16を前記雌螺子部15に着脱自在に螺着することで覆い蓋13が前記中栓部４に着脱自在に取付られる構成としている（図４，図５参照。）。
【００６０】
また、この覆い蓋13の天板部27の下面であって、前記円筒部28の周囲に境目密封部14としてのリング状パッキン14を着脱自在に付設して、覆い蓋13を中栓部４に螺着して取付ると、このリング状パッキン14が前記境目12に上方から密着して、この境目12が密封される構成としている（図４〜図７参照。）。
【００６１】
また、この境目密封部14は、円筒部28の基端部（上端部）の外周面全周に周設した取付溝部29に位置決め状態に圧接した構成とし、この取付溝部29に位置決められている境目密封部14を伸ばして円筒部28に沿って下方へ引っ張れば取り外しでき、容易に洗浄・手入れできる構成としている。
【００６２】
また、この覆い蓋13は、天板部27の外周縁全周を下方へ垂下する形状に一体成形してこの垂下部を外栓押え片31とし、この覆い蓋13を中栓部４に螺着すると、この外栓部押え片31と前記境目密封部14とで外栓部５を中栓部４に対し上方へ抜脱不能状態に押え付ける構成としている。図中符号32は外栓押え片31が押え付け当接する受凹所である。
【００６３】
即ち、覆い蓋13を中栓部４に螺着した状態では外栓部５は分離できず、覆い蓋13を中栓部４から取外すことで中栓部４から外栓部５を取外し可能となる構成としている。
【００６４】
尚、本発明は、本実施例に限られるものではなく、各構成要件の具体的構成は適宜設計し得るものである。
【００６５】
例えば、本実施例では、取付孔部８に摺動部９、取付用挿入部７に落ち込み部10を設けた場合を示しているが、これとは逆に取付孔部８に落ち込み部10、取付用挿入部７に摺動部９を設ける構成としても良い。
【００６６】
また、本実施例では、中栓部４に密着部11、外栓部５に被接触部30を設けた場合を示しているが、これとは逆に外栓部５に密着部11、中栓部４に被接触部30を設ける構成としても良い。
【００６７】
また、本実施例では、密着部11が取付孔部８の孔縁近傍（の被接触部30）に密着して止水する構成とした場合を示しているが、密着部11が取付孔部８の孔縁に密着するような構成としても良い。
【００６８】
また、本実施例では、覆い蓋13を中栓部４に取付する構成とした場合を示しているが、覆い蓋13を外栓部５に取付する構成としても良い。
【符号の説明】
【００６９】
１  容器本体
２  上部開口部
３  飲み口部
４  中栓部
５  外栓部
７  取付用挿入部
８  取付孔部
９  摺動部・圧接突起
10  落ち込み部・段差面
11  密着部
12  境目
13  覆い蓋
14  境目密封部
15  雌螺子部
16  雄螺子部
Ｓ  栓体
【図１】
2014162518.tif 000003
【図２】
2014162518.tif 000004
【図３】
2014162518.tif 000005
【図４】
2014162518.tif 000006
【図５】
2014162518.tif 000007
【図６】
2014162518.tif 000008
【図７】
2014162518.tif 000009
【図８】
2014162518.tif 000010
【図９】
2014162518.tif 000011